(57)【要約】【課題】従来よりも簡素な構成によってコストを低減できる異物選別装置を提供する。【解決手段】  揺動機構により異物選別板を揺動しながら玄米中の異物を選別する異物選別装置４であって、異物選別板は、送風機から送り込んだ風により玄米を浮遊させて異物と選別する第１の異物選別板４１２と、前記第１の異物選別板４１２によって選別された玄米を受け、玄米が透過可能な透過孔から玄米を透過して異物と選別する第２の異物選別板４２１を備え、前記第２の異物選別板４２１は、前記第１の異物選別板４１２の後端部に傾斜角度を変更可能に取り付けられ、かつ、前記揺動機構により前記第１の異物選別板４１２と一体に揺動するように構成されたことを特徴とする異物選別装置４によって、従来よりも簡素な構成によってコストを低減できる。【選択図】  図５
2020104065.tif 000002
【特許請求の範囲】
【請求項１】
揺動機構により異物選別板を揺動しながら玄米中の異物を選別する異物選別装置であって、
前記異物選別板は、送風機から送り込んだ風により玄米を浮遊させて異物と選別する第１の異物選別板と、前記第１の異物選別板によって選別された玄米を受け、玄米が透過可能な透過孔から玄米を透過して異物と選別する第２の異物選別板を備え、
前記第２の異物選別板は、前記第１の異物選別板の後端部に傾斜角度を変更可能に取り付けられ、かつ、前記揺動機構により前記第１の異物選別板と一体に揺動するように構成されたことを特徴とする異物選別装置。
【請求項２】
前記第２の異物選別板の選別終端側の上面に、上方に突起した玄米落下防止部材が設けられたことを特徴とする請求項１の異物選別装置。
【請求項３】
前記第２の異物選別板の選別終端側の下面に、下方に突出した第１の飛散防止部材が垂設されたことを特徴とする請求項１または請求項２に記載の異物選別装置。
【請求項４】
前記第１の異物選別板及び前記第２の異物選別板との間に所定の空隙部分を有する開口を備えた仕切壁を設け、かつ、前記第２の異物選別板の選別始端側の下面に、前記空隙部分を覆う第２の飛散防止部材が設けられたことを特徴とする請求項１から請求項３のいずれか１項に記載の異物選別装置。
【請求項５】
前記第２の飛散防止部材は、可撓性を有するシート状に形成されたことを特徴とする請求項４に記載の異物選別装置。
【発明の詳細な説明】
【技術分野】
【０００１】
本発明は、利用者が持込んだ玄米を自動精米処理する精米設備内に配設され、玄米に混入した異物を選別除去する異物選別装置に関するものである。
【背景技術】
【０００２】
利用者が持込んだ玄米を自動精米処理する精米設備は、玄米に混入している石や藁屑などの夾雑物（以下、異物という。）を除去して精米するため、玄米から異物を選別して除去する異物選別装置を備えており、従来の異物選別装置は、図９の精米設備の精米処理工程の展開図に示されるように、投入ホッパ２から投入された玄米から石等の比較的比重の大きい異物を選別除去する石抜装置９と、藁屑等の比較的比重の小さい異物を選別除去する藁屑除去装置１０との２つの装置を用いて異物を選別するように構成されており、異物選別装置による処理工程を経て異物が除去された玄米は、精米機６によって精米されて、白米タンク６ａより取出されるように構成されている。
【０００３】
ここに、石抜装置９は、傾斜状態で配設された異物選別板を揺動機構により揺動しながら異物を傾斜上方へと案内し、送風機から送り込んだ風により玄米を浮遊させて傾斜下方へと案内して、玄米中の比重の大きい石等の異物を選別するよう構成されている（例えば、特許文献１参照。）。
【０００４】
また、藁屑除去装置１０は、石抜装置９から玄米を受け、多孔を形成した異物選別網を揺動機構により揺動して玄米を篩いにかけることで、玄米のみを異物選別網から透過して異物と分離し、これにより、玄米中の比重の小さい藁屑等の異物を選別するよう構成されている（例えば、特許文献２参照。）
【先行技術文献】
【特許文献】
【０００５】
【特許文献１】特開平４―１１００７５号公報
【特許文献２】特開２００２―２９２２９４号公報
【発明の概要】
【発明が解決しようとする課題】
【０００６】
しかしながら、この従来の異物選別装置は、石等の比較的比重の大きい異物と、藁屑等の比較的比重の小さい異物とに対応するため、それぞれが揺動機構を備えた２つの独立した装置から構成されており、その結果、異物を除去するための機構が複雑化し、部品点数の増加による製造費やメンテナンス費、ランニングコストの高コスト化を招いていた。
【０００７】
本発明の目的は、従来よりも構成が簡素で、コストを低減することができる異物選別装置を提供することにある。
【課題を解決するための手段】
【０００８】
本発明のかかる目的は、揺動機構により異物選別板を揺動しながら玄米中の異物を選別する異物選別装置であって、前記異物選別板は、送風機から送り込んだ風により玄米を浮遊させて異物と選別する第１の異物選別板と、前記第１の異物選別板によって選別された玄米を受け、玄米が透過可能な透過孔から玄米を透過して異物と選別する第２の異物選別板を備え、前記第２の異物選別板は、前記第１の異物選別板の後端部に傾斜角度を変更可能に取り付けられ、かつ、前記揺動機構により前記第１の異物選別板と一体に揺動するように構成されたことを特徴とする異物選別装置によって達成される。
【０００９】
本発明によれば、第１の異物選別板及び第２の異物選別板を単一の揺動機構によって揺動することにより、石等の比較的比重の大きい異物も藁屑等の比較的比重の小さい異物も選別除去できるため、簡素な構成によってコストを低減できる。加えて、前記第２の異物選別板は、前記第１の異物選別板の後端部に傾斜角度を変更可能に取り付けられたことにより、玄米の種類に応じて、第２の異物選別板の傾斜角度を調節して良好に選別できる。
【００１０】
本発明の好ましい実施態様においては、前記第２の異物選別板の選別終端側の上面に、上方に突起した玄米落下防止部材が設けられている。
【００１１】
本発明のこの好ましい実施態様によれば、玄米落下防止部材によって、前記第２の異物選別板選別終端側から玄米が落下することを防止して、より確実に異物を選別することができる。
【００１２】
本発明のさらに好ましい実施態様においては、前記第２の異物選別板の選別終端側の下面に、下方に突出した第１の飛散防止部材が垂設されている。
【００１３】
本発明のこのさらに好ましい実施態様によれば、第１の飛散防止部材によって、第２の異物選別板から透過した玄米を案内して飛散を防止し、第２の異物選別板の下方に配された玄米排出口側に安定して落下させることができる。
【００１４】
本発明のさらに好ましい実施態様によれば、前記第１の異物選別板及び前記第２の異物選別板との間に所定の空隙部分を有する開口を備えた仕切壁を設け、かつ、前記第２の異物選別板の選別始端側の下面に、前記空隙部分を覆う第２の飛散防止部材が設けられている。
【００１５】
本発明のこのさらに好ましい実施態様によれば、仕切壁によって、前記第１の異物選別板及び前記第２の異物選別板との相互間の異物の混入や玄米の飛散を防止しながら、第２の飛散防止部材によって、仕切壁の所定の空隙部分から、前記第２の異物選別板によって選別された玄米が、第１の異物選別板側に落下することを良好に防止できる。
【００１６】
本発明のさらに好ましい実施態様によれば、前記第２の飛散防止部材は、可撓性を有するシート状に形成されている。
【００１７】
本発明のこのさらに好ましい実施態様によれば、異物選別板の傾斜角度を変更する際、第２の飛散防止部材が仕切壁に干渉しても、可撓性によって撓んで、第２の異物選別板の傾斜角度の変更を妨げることがなく、良好に傾斜角度を調節することができる。
【発明の効果】
【００１８】
本発明によれば、従来よりも簡素な構成によってコストを低減できる異物選別装置を提供できる。
【図面の簡単な説明】
【００１９】
【図１】図１は、本発明の実施の形態に係る異物選別装置を含んで構成された精米設備の精米処理工程の展開図である。
【図２】図２は、図１の精米設備の機器配置図である。
【図３】図３は、図１の精米設備の操作部の見取図である。
【図４】図４は、図１の精米設備の制御部の入出力ブロック図である。
【図５】図５は、本発明の実施の形態に係る異物選別装置の縦断面図である。
【図６】図６は、本発明の実施の形態に係る異物選別装置の平面図である。
【図７】図７は、本発明の実施の形態に係る第１の異物選別板の一部断面図である。
【図８】図８は、本発明の別の実施の形態に係る異物選別装置の縦断面図である。
【図９】図９は、従来の異物選別装置を含んで構成された精米設備の精米処理工程の展開図である。
【発明を実施するための形態】
【００２０】
以下、添付図面に基づいて、本発明の好ましい実施の形態につき詳細に説明を加える。尚、本発明は、以下の実施の形態に限定されることなく、特許請求の範囲に記載された発明の範囲内で種々の変更が可能であり、それらも本発明の範囲内に包含されるものであることはいうまでもない。
【００２１】
（精米設備）
図１は、本発明の実施の形態に係る異物選別装置を含んで構成された精米設備の精米処理工程の展開図である。
図１に示されるように、本発明の実施の形態に係る異物選別装置４を含む精米設備１は、投入された玄米を受ける投入ホッパによる玄米投入部２と、玄米投入部２に投入された玄米を上方位置で、排出する第１昇降機３と、第１昇降機３から受けた玄米中の異物を揺動して選別する異物選別装置４と、こうして異物が選別された玄米を上方位置で、玄米タンク６ｂに排出する第２昇降機５と、第２昇降機５から玄米タンク６ｂを介して玄米を受け、玄米を精白処理する精米機６と、精白処理された米を受ける白米タンク６ａとを備えている。精米設備１には、これらの機器を統括制御する制御部Ｃ（図示せず）が設けられている。
【００２２】
（機器配置）
図２は、図１に示された精米設備の機器配置図である。
図２に示されるように、精米設備１においては、建家１１を前後に仕切る仕切部１２が設けられ、建家１１の前面側は穀粒の取扱いおよび精白度等を設定するための客室１１ａとされ、後面側は機器格納用の機械室１１ｂとされている。建家１１の左側端部には、投入ホッパ２が配設され、右側端には白米タンク６ａが配置され、投入ホッパ２から第１昇降機３、異物選別装置４、第２昇降機５、玄米タンク６ｂ、精米機６を介して白米タンク６ａに至る白米処理系が形成されている。
【００２３】
（操作部）
図３は、図１の精米設備の操作部の見取図である。
図３に示されるように、仕切部１２には、玄米の投入部を構成する左側には、投入ホッパ２を備えた玄米投入部が、中央部には操作盤１３が、取出側を構成する右側には、白米タンク６ａから白米を受ける白米取出部１６が配置されている。玄米投入部２には、シャッタースイッチ１４ａが、操作盤１３には、料金投入部１３ａがそれぞれ設けられ、さらに、「標準」「８分つき」「５分つき」等の白度選択スイッチと運転開始スイッチを兼ねる精白度選択スイッチ１３ｂが設けられている。
【００２４】
（入出力構成）
図４は、図１に示された精米設備１の各種機器を制御する制御部の入出力ブロック図である。
図４に示されるように、精米設備１の各種機器を制御する制御部Ｃには、料金投入部に設けられたコインセンサ１３ａの検出信号と、投入ホッパ２に玄米があるか否かを検出する玄米センサ２ｓの検出信号と、ユーザが精白度を指定する精白度選択スイッチ１３ｂの選択信号と、精米機を一時停止する際にユーザによって操作される一時停止スイッチＰの操作信号とがそれぞれ入力され、制御部Ｃによって、精米機６と、精米機用ロータリバルブ６ｒ、異物選別装置４、石抜機シャッタ４ｓ、投入ホッパ用ロータリバルブ２ｒの作動が制御されるように構成されている。
【００２５】
（異物選別装置）
図５は、本発明の実施の形態に係る異物選別装置の縦断面図であり、図６は、その平面図である。
本発明の異物選別装置４は、玄米から石等の比較的比重の大きい異物を選別除去する第１の選別部４１と、藁屑等の比較的比重の小さい異物を選別除去する第２の選別部４２を備えている。
【００２６】
第１の選別部４１は、図５に示されるように、送風機４１１と、第１の異物選別板４１２と、側壁４１３と、石抜口４１４と、揺動機構４１５とを備えている。
【００２７】
送風機４１１は、第１の異物選別板４１２の下部に一体的に取り付けられており、駆動式の風車４１１ａを収納する円弧胴部４１１ｂが形成された送風機ケース４１１ｃを備え、送風機ケース４１１ｃの上部には、開口部分である吹上口４１１ｅが形成されている。このようにして、送風機４１１は、風車４１１ａが生成した風を吹上口４１１ｅから上方に向かって吐出する。
【００２８】
図５に示されるように、吹上口４１１ｅは、前方から後方に向かって下り傾斜となるように形成されており、吹上口４１１ｅの上面を覆うようにして第１の異物選別板４１２が傾斜配置されている。この第１の異物選別板４１２は、図６に示されるように、板面全体に多数の目抜孔４１２ａが所定間隔で、規則的な千鳥状で配設されている。
【００２９】
図７は、第１の異物選別板の一部断面図である。
図７に示されるように、目抜孔４１２ａは、第１の異物選別板４１２を貫通して通気可能に設けられた通気孔４１２ａ１と、前方に向けて斜め上方に傾斜した傾斜突起４１２ａ２を備えている。
【００３０】
また、図５および図６に示されるように、第１の異物選別板４１２の左右側方を囲むように、左右の側壁４１３，４１３が立設されており、左右の側壁４１３，４１３は、第１の異物選別板４１２の前部側方に配された前部側壁４１３ｆ，４１３ｆと、後部側方に配されたスライド溝付き後部側壁４１３ｒ，４１３ｒとによって構成されている。
【００３１】
前部側壁４１３ｆ，４１３ｆは、図６に示されるように、異物を中央に案内して石抜口４１４へと導くため、第１の異物選別板４１２の中途部から前端部にかけて左右間隔が徐々に狭くなるように設けられている。
【００３２】
図５および図６に示されるように、スライド溝付き後部側壁４１３ｒ，４１３ｒの後端部には、スライド溝４１３ａが形成されており、スライド溝４１３ａは後部側壁４１３ｒ，４１３ｒの後端部を前方に向けて直線状に所定範囲を切り欠いて形成されている。さらに、スライド溝４１３ａには、後に詳述する角度調節部付き側壁４２２に設けられた角度調節部４２２ａが嵌合されている。なお、スライド溝４１３ａ及び角度調節部４２２ａは複数設けられることが望ましく、本実施態様においては、左右のスライド溝付き後部側壁４１３ｒ，４１３ｒに、それぞれ、２つのスライド溝４１３ａ及び角度調節部４２２ａが設けられている。
【００３３】
また、スライド溝付き後部側壁４１３ｒ，４１３ｒの後端下部の隅角部には、後に詳述する第２の異物選別板４２１が回動可能に取り付けられた回動支点軸４１６が設けられている。
【００３４】
ここに、異物選別装置４は、第１の異物選別板４１２を斜め揺動Ｗする揺動機構４１５を備えている。この揺動機構は、駆動式の偏心輪４１５ａに連結されたロッド４１５ｂを送風機ケース４１１ｃの下部に取り付けて構成されており、偏心輪４１５ａの駆動によって、送風機ケース４１１ｃと連結された第１の異物選別板４１２を送風ケース４１１ｃごと斜め揺動Ｗするように構成されている。
【００３５】
このように構成された第１の選別部４１は、第１昇降機３から玄米の供給を受ける投入口４１７から、第１の異物選別板４１２上に投下された玄米を、送風機４１１による送風によって目抜孔４１２ａを吹き抜ける風の作用によって浮遊させながら、第１の異物選別板４１２の下り傾斜に沿って徐々に後方へと案内し、同時に、送風機４１１からの風の作用によっては浮遊しない石等の比較的比重の大きい異物に対しては、第１の異物選別板４１２を斜め揺動Ｗさせながら、目抜孔４１２ａの傾斜突起４１２ａ２を作用させて、徐々に前方へと案内することで、石等の比較的比重の大きい異物と、藁屑等の比較的比重の小さい異物を比重選別するよう構成されている。その結果、前方に案内されて第１の異物選別板４１２の前端に到達した石等の比較的比重の大きい異物は、前端に配された石抜口４１４から排出される。
【００３６】
第２の選別部４２は、第１の選別部４１によって比重選別された玄米を受け、藁屑等の比較的比重の小さい異物をさらに選別除去するよう構成されている。
すなわち、図５に示されるように、第２の選別部４２は、第２の異物選別板４２１と、角度調節部付き側壁４２２と、玄米の落下を防止する玄米落下防止部材４２３と、玄米の飛散を防止する第１の飛散防止部材４２４と、第２の飛散防止部材４２５とを備えている。
【００３７】
第２の異物選別板４２１の前端部は、比較的比重の小さい異物の選別の始端側となる選別始端側であり、後端部は、選別の終端側となる選別終端側となっている。この第２の異物選別板４２１の前端部は、第１の異物選別板４１２と互いの面端同士が密着するように構成されている。これにより、第２の異物選別板４２１は、第１の異物選別板４１２と連続する面を形成しており、第１の異物選別板４１２によって選別された玄米が、第２の異物選別板４２１に供給されるように構成されている。このように、第１の異物選別板４１２の選別終端側と、第２の異物選別板４２１の選別始端側が連結されるよう構成されている。
【００３８】
図６に示されるように、第２の異物選別板４２１には、玄米が透過可能な目合いの多数の透過孔４２１ａが、板面全体に規則的に多数形成されている。また、第２の異物選別板４２１は第１の異物選別板４１２に取り付けられて、一体として斜め揺動Ｗするよう構成されており、その結果、第２の異物選別板４２１は、第１の異物選別板４１２により選別された玄米を受け、さらに、この玄米を透過孔４２１ａから透過することによって、透過孔４２１ａを透過できない藁屑等の異物と分離して選別可能に構成されている。
【００３９】
第２の異物選別板４２１の下方には、玄米を排出するための玄米排出口４２６が設けられ、第２の異物選別板４２１の透過孔４２１ａを通過して落下した玄米は、玄米排出口４２６から排出される。玄米排出口４２６から排出された玄米は、第２昇降機５に供給される。
一方、第２の異物選別板４２１の後端部の後方には、異物を排出するための異物排出口４２７が設けられており、第２の異物選別板４２１の透過孔４２１ａから透過しなかった藁屑等の異物は、異物排出口４２７から排出される。
【００４０】
さらに、第２の異物選別板４２１は、第２の異物選別板４２１の前端部に設けられた回動支点軸４１６を支点として、第１の異物選別板４１２に対して回動可能に取り付けられている。これにより、第２の異物選別板４２１は、上下に回動して傾斜角度が変更可能に設けられている。
【００４１】
図５においては、第２の異物選別板４２１は、水平面に対し、回動支点軸４１６まわりの反時計方向に角度θだけ回動した位置で固定されている。このように、第２の異物選別板４２１を、後方に向けて上り傾斜とすることで、選別中の玄米が、第２の異物選別板４２１の後端部から落下することを防止することができる。
一方、第２の異物選別板４２１を、回動支点軸４１６まわりの時計方向に角度−θ（例えば、−３０度）回動した位置で固定し、後方に向けて下り傾斜とすることで、藁屑等の異物を下り傾斜に沿って後方へと案内して、第２の異物選別板４２１の後方に配された異物排出口４２７内に落下させやすくなる。
【００４２】
また、第２の異物選別板４２の角度調節部付き側壁４２２，４２２は、第２の異物選別板４２の左右側方を囲むように形成され、その前端上部に２つの角度調節部４２２ａが設けられている。角度調節部４２２ａは、スライド溝付き後部側壁４１３のスライド溝４１３ａにスライド可能に嵌合する軸部と、その軸部をスライド溝４１３ａの任意の位置で固定可能な固定手段を備えている。本実施形態においては、角度調節部４２２ａは、ボルト軸よりなる軸部と、ボルトからなる固定手段を備えている。
【００４３】
このような構成により、スライド溝付き後部側壁４１３，４１３のスライド溝４１３ａに嵌合した角度調節部４２２ａの軸部をスライドしながら、回動支点軸４１６を支点として、第２の異物選別板４２１を回動させることによって、第１の異物選別板４１２に対する第２の異物選別板４２１の取付角度を変更することができ、さらに、固定手段により所望の取付角度で第２の異物選別板４２１を固定して、第２の異物選別板４２１を所望の傾斜角度θを保持することができる。また、角度調節部４２２ａをスライド溝付き後部側壁４１３のスライド溝４１３ａに嵌合して、スライドさせ、固定手段により固定することにより、第２の異物選別板４２１の傾斜角度θを細かく調節することができ、したがって、玄米の種類に応じて、玄米を第２の異物選別板４２１の透過孔４２１ａから透過して落下させる上で、好適な傾斜角度θに調節して第２の異物選別板４２１を固定することが可能となる。
【００４４】
図５に示されるように、第２の異物選別板４２１の後端縁部の上面には、凸状の突起である玄米落下防止部材４２３が左右方向に沿って形成されている。このように、第２の異物選別板４２１の選別終端側となる後端縁部に、玄米落下防止部材４２３が、第２の異物選別板４２１の上面から所定の高さに設けられているから、第２の異物選別板４２１の上面で選別される玄米が異物排出口４２７内に落下することを防止することが可能になり、第２の異物選別板４２１の透過孔４２１ａから玄米を落下させ、より確実に選別することができる。
さらに、比重の軽い異物は玄米落下防止部材４２３を乗り越えるから、異物排出口４２７内に回収することができる。とくに、第２の異物選別板４２１を下り傾斜とした場合には、玄米落下防止部材４２３によって、玄米の異物排出口４２７内への落下を防止しつつ、異物を異物排出口４２７内に確実に回収することができる。
【００４５】
第２の異物選別板４２１の後端縁部の下面には、後端縁部から下方に突出した第１の飛散防止部材４２４が、左右方向に沿って設けられている。このように、第２の異物選別板４２１の後端縁部の下面に、第１の飛散防止部材４２４を下方に突出するように設けることにより、第２の異物選別板４２１の透過孔４２１ａを透過して落下した玄米を案内して、玄米が飛散することを防止し、玄米排出口４２６内に確実に落下させることができ、第２の異物選別板４２１の透過孔４２１ａから透過して落下した玄米が、異物排出口４２７外に飛散して落下することが防止される。特に、第２の異物選別板４２１を下り傾斜とした場合には、玄米は、下り傾斜に案内されて、第２の異物選別板４２１から、異物排出口４２７側へ落下しやすくなるため、玄米が異物排出口４２７側に飛散して落下することを効果的に防止することができる。
【００４６】
第１の選別部４１及び第２の選別部４２は、異物選別装置４外に、玄米の飛散を防止するため、筐体４３に覆われており、さらに、第１の選別部４１及び第２の選別部４２の相互間の異物の混入や玄米の飛散を防止するため、第１の選別部４１及び第２の選別部４２は、所定の開口（図示せず）が設けられた仕切壁４３１で仕切られ、第１の選別部４１内の異物が第２の選別部４２内に入り込むことの防止が図られ、第２の選別部４２内の異物が第１の選別部４１内に入り込むことの防止が図られている。仕切壁４３１に形成された開口は、第１の異物選別板４１２及び第２の異物選別板４２１が、仕切壁４３１との干渉を避けながら斜め揺動Ｗするために必要な隙間を確保するように設けられており、したがって、第１の異物選別板４１２及び第２の異物選別板４２１と仕切壁４３１との間には、所定の隙間部分が存在している。
【００４７】
ここで、透過孔４２１ａを透過して落下した玄米が、第１の異物選別板４１２及び第２の異物選別板４２１と仕切壁４３１との間の隙間部分から第１の選別部４１側の筐体４３内に飛散することを防止するため、第２の異物選別板４２１の選別始端側である前端縁部の下面から、可撓性シートを矩形に加工して形成された第２の飛散防止部材４２５が下方に延び、隙間部分を覆っている。
【００４８】
第２の飛散防止部材４２５を可撓性のシートによって形成したことにより、第２の異物選別板４２１を回動して、傾斜角度θを変更する際に、第２の飛散防止部材４２５が仕切壁４３１に当接するなど、仕切壁４３１と干渉しても、第２の飛散防止部材４２５が撓んで、第２の異物選別板４２１の回動を妨げることがなく、所望のように傾斜角度θを調節することができる。
【００４９】
また、第２の異物選別板４２１の上方には、点検窓４３２が設けられており、これにより、第１の異物選別板４１２及び第２の異物選別板４２１が詰まりを起こした等の問題が生じた場合においても、メンテナンスが容易となっている。
【００５０】
以上のように、本発明の好ましい実施の形態によれば、異物選別装置４は、玄米から石等の比較的比重の大きい異物を選別除去する第１の異物選別板４１２を有する第１の選別部４１と、藁屑等の比較的比重の小さい異物を選別除去する第２の異物選別板４２１を有する第２の選別部４２を備え、第１の異物選別板４１２及び第２の異物選別板４２１が揺動機構４１５により一体として揺動するように構成されているから、従来のように、石抜装置９及び異物除去装置１０に異物を選別する異物選別板及び異物選別網を設け、これらを駆動機構によりそれぞれ揺動して異物を除去するように構成する必要がなく、単一の揺動機構によって、石等の比較的比重の大きい異物も藁屑等の比較的比重の小さい異物も選別除去できるから、異物選別装置４の構成を簡素化することができ、コストを低減することが可能になる。
【００５１】
図８は、異物選別装置の別の実施形態を示す縦断面図である。
図８に示されるように、異物選別装置４は、角度調節部付き側壁４２２の後端部に、第２の異物選別板４２１の上方を覆う屋根板４２８が取り付けられており、さらに、屋根板４２８の後端部に可撓性シートで形成されたカーテン部４２９が下方に延びるように取り付けられ、その下端部が、玄米落下防止部材４２３の手前近傍に位置している。
このように構成することによって、屋根板４２８が第２の異物選別板４２１の板面上で跳ねた玄米の飛散を防止するとともに、カーテン部４２９によって異物排出口４２７への落下を防止し、第２の異物選別板４２１から落下する玄米を案内して、より確実に異物と選別することができる。
【符号の説明】
【００５２】
１      精米設備
２      投入ホッパ（玄米投入部）
４      石抜機
６      精米機
６ａ    白米タンク
１３ａ  料金投入部（コインセンサ）
１３ｂ  精白度選択スイッチ
Ｐ      一時停止スイッチ
４１  第１の選別部
４２  第２の選別部
４３  筐体
４１１  送風機
４１２  第１の異物選別板
４１２ａ  目抜孔
４１２ａ１  通気孔
４１２ａ２  傾斜突起
４１３  側壁
４１３ｆ  前部側壁
４１３ｒ  スライド溝付き側壁
４１３ａ  スライド溝
４１４  石抜口
４１５  揺動機構
４１５ａ  偏心輪
４１５ｂ  ロッド
４１６  回動支点軸
４１７  投入口
４２１  第２の異物選別板
４２１ａ  透過孔
４２２，４２２  角度調節部付き側壁
４２２ａ  角度調節部
４２３  玄米落下防止部材
４２４  第１の飛散防止部材
４２５  第２の飛散防止部材
４３１  仕切壁
４３２  点検窓
Ｃ  制御部
Ｐ      一時停止スイッチ
【図１】
2020104065.tif 000003
【図２】
2020104065.tif 000004
【図３】
2020104065.tif 000005
【図４】
2020104065.tif 000006
【図５】
2020104065.tif 000007
【図６】
2020104065.tif 000008
【図７】
2020104065.tif 000009
【図８】
2020104065.tif 000010
【図９】
2020104065.tif 000011